(57)【要約】【課題】曲げ部分を所定の曲げＲにすることが可能な蛇腹筒体構造を提供する。【解決手段】各山部７の突起５は、蛇腹グロメット１の取り付け前の状態において、間隔をあけて配置されている。この状態から蛇腹グロメット１の取り付けを行い蛇腹筒体２に曲げを施すと、隣り合う突起５の当接部分１６、１６同士が面接触する。隣り合う突起５の当接部分１６、１６同士が面接触することにより、蛇腹筒体２はこの部分において所定の曲げＲで湾曲する。蛇腹グロメット１は、蛇腹筒体２が障害物１１に接触することなく取り付けられる。【選択図】図１
2007174854.tif 000002
【特許請求の範囲】
【請求項１】
複数の山部に各々突起を有する蛇腹筒体の構造において、
前記突起は前記蛇腹筒体を曲げて生じる内側曲げ部に配置され、且つ、隣り合う同士が当接する当接部分を有する
ことを特徴とする蛇腹筒体構造。
【請求項２】
請求項１に記載の蛇腹筒体構造において、
前記当接部分は面として形成される
ことを特徴とする蛇腹筒体構造。
【請求項３】
請求項１又は請求項２に記載の蛇腹筒体構造において、
前記突起は障害物に対する保護面を有する
ことを特徴とする蛇腹筒体構造。
【発明の詳細な説明】
【技術分野】
【０００１】
本発明は、グロメットやコルゲートチューブに設けられる蛇腹筒体の構造に関する。
【背景技術】
【０００２】
グロメットやコルゲートチューブの蛇腹筒体は、山部と谷部とが交互に連続する構造を有している。また、山部と谷部とが等ピッチで連続する構造を有している。従来の蛇腹筒体はこれに曲げを施すと、曲げ部分が均一に曲がるような構造を有している。
【０００３】
下記特許文献１には、グロメットの蛇腹筒体が開示されている。この蛇腹筒体の複数の山部には、各々突起が設けられている。各突起は、グロメットを取り付ける際に、上下の向きを作業者に分からせるためのものとして設けられている。すなわち、各突起は、作業時において目視される部分として設けられている。各突起は、蛇腹筒体の均一な曲げを妨げないような形状に形成されている。
【０００４】
また、下記特許文献２にもグロメットの蛇腹筒体が開示されている。この蛇腹筒体には、全長にわたって背びれ状の突片が設けられている。背びれ状の突片は、上下方向でなく、側方（左右のいずれか一方）に突出するように設けられている。背びれ状の突片は、長尺な蛇腹筒体自体の伸縮を規制し、且つ、曲げ時に捩れが生じないようにするために設けられている。背びれ状の突片も上記突起同様、蛇腹筒体の均一な曲げを妨げないような形状に形成されている。
【特許文献１】特開平９−２９２０６１号公報
【特許文献２】特開２０００−２１７２２９号公報
【発明の開示】
【発明が解決しようとする課題】
【０００５】
従来の蛇腹筒体は、均一に曲げることを容易とする構造になっているものの、例えば曲げ部分の一部を所定の曲げＲにすることは困難な構造になっている。従って、蛇腹筒体の設置位置において、曲げ部分の近傍に障害物があると、これに接触して擦れが生じたりするという問題点を有している。
【０００６】
本発明は、上述した事情に鑑みてなされたもので、曲げ部分を所定の曲げＲにすることが可能な蛇腹筒体構造を提供することを課題とする。
【課題を解決するための手段】
【０００７】
上記課題を解決するためになされた請求項１記載の本発明の蛇腹筒体構造は、複数の山部に各々突起を有する蛇腹筒体の構造において、前記突起は前記蛇腹筒体を曲げて生じる内側曲げ部に配置され、且つ、隣り合う同士が当接する当接部分を有することを特徴としている。このような特徴を有する本発明によれば、蛇腹筒体の曲げを行うと、隣り合う突起同士が当接してこれ以上の曲げが規制される。隣り合う突起同士が当接することにより、蛇腹筒体はこの部分において所定の曲げＲで湾曲する。尚、突起は、内側曲げ部における曲げ規制範囲に応じて配置されるものとする。
【０００８】
請求項２記載の本発明の蛇腹筒体構造は、請求項１に記載の蛇腹筒体構造において、前記当接部分は面として形成されることを特徴としている。このような特徴を有する本発明によれば、蛇腹筒体の曲げを行うと、隣り合う突起の当接部分同士が面接触する。隣り合う突起同士の接触は安定した接触になり、この結果、曲げの規制も良好に維持される。
【０００９】
請求項３記載の本発明の蛇腹筒体構造は、請求項１又は請求項２に記載の蛇腹筒体構造において、前記突起は障害物に対する保護面を有することを特徴としている。このような特徴を有する本発明によれば、障害物に対して例えば擦れ合う部分が突起に存在する。蛇腹筒体は、突起の保護面によって障害物の接触から保護される。
【発明の効果】
【００１０】
請求項１に記載された本発明によれば、蛇腹筒体の曲げ部分を所定の曲げＲにすることができるという効果を奏する。請求項２に記載された本発明によれば、突起同士の接触を安定させることができるという効果を奏する。請求項３に記載された本発明によれば、障害物の接触から蛇腹筒体を保護することができるという効果を奏する。
【発明を実施するための最良の形態】
【００１１】
以下、図面を参照しながら説明する。図１は本発明の蛇腹筒体構造の一実施の形態を示す図であり、（ａ）はグロメットでの使用説明図、（ｂ）は曲げを行う前の状態を示す要部拡大断面図、（ｃ）は曲げを行った時の状態を示す要部拡大断面図である。また、図２は突起の他の形状例を示す断面図である。
【００１２】
図１において、引用符号１はゴム又はエラストマー製の蛇腹グロメットを示している。この蛇腹グロメット１は、蛇腹筒体２と、蛇腹筒体２の両端に連続する略カップ状のパネル嵌合部３、４と、蛇腹筒体２を曲げた時にこの蛇腹筒体２を所定の曲げＲにしてこれ以上の曲げを規制する複数の突起５とを有するように構成されている。蛇腹グロメット１は、蛇腹筒体２の内側曲げ部６に複数の突起５を有する点が特徴となっている。
【００１３】
蛇腹筒体２は、環状の山部７と環状の谷部８とが交互に連続する構造を有している。また、蛇腹筒体２は、環状の山部７と環状の谷部８とが等ピッチで連続する構造を有している。蛇腹筒体２は、所定の長さを有する筒状に形成されている。
【００１４】
蛇腹筒体２は、蛇腹グロメット１の取り付け前の状態において、湾曲することなく真っ直ぐに伸びるように形成されている。蛇腹筒体２は、柔軟性を有している。この蛇腹筒体２に曲げを施すと、図示のような内側曲げ部６及び外側曲げ部９が形成されるようになっている。図１（ａ）の場合では、上側に外側曲げ部９が形成され、下側に内側曲げ部６が形成されるようになっている。
【００１５】
蛇腹筒体２は、図１（ａ）の場合、外側曲げ部９の部分で山部７と谷部８とが広がり、内側曲げ部６の部分では山部７と谷部８とが狭まるようになっている。蛇腹筒体２は、これ自体均一な曲げが生じる構造を有しているものの、複数の突起５が存在する部分は曲げＲが規制されるようになっている。複数の突起５は、内側曲げ部６における曲げ規制範囲１０に配置形成されている。複数の突起５は、並んで配置されている。
【００１６】
曲げ規制範囲１０は、障害物１１の位置及び形状に応じて設定されている。障害物１１は、本形態において、パネル嵌合部３が取り付く例えば車両本体パネル１２の突出部分となっている。障害物１１は、蛇腹筒体２が均一に曲がった状態において接触が生じるような形状に形成されている（パネル嵌合部４が取り付く側をドアパネル１３とする。引用符号１４はワイヤハーネスを示している。尚、障害物１１は上記の突出部分に限らず、電気接続箱や電線などであってもよいものとする）。
【００１７】
突起５は、各山部７の外側の頂点１５において、この頂点１５に対し一体となるように設けられている。突起５は、図１の場合、断面視略ホームベース状となる形状に形成されている（形状は一例であるものとする）。このような突起５は、当接部分１６、１６を有している。当接部分１６、１６は、隣り合う突起５同士が当接ずる部分として形成されている。当接部分１６、１６は、それぞれ平坦な面となるように形成されている。
【００１８】
突起５は、当接部分１６、１６の他に保護面１７も有している。保護面１７は、障害物１１から蛇腹筒体２を保護する部分として形成されている。突起５は、この側面に当接部分１６、１６を有し、頂面に保護面１７を有するように形成されている。
【００１９】
各山部７の突起５は、蛇腹グロメット１の取り付け前の状態において、間隔をあけて配置されている（図１（ｂ）参照）。この状態から蛇腹グロメット１の取り付けを行い蛇腹筒体２に曲げを施すと、隣り合う突起５の当接部分１６、１６同士が面接触する。隣り合う突起５の当接部分１６、１６同士が面接触することにより、蛇腹筒体２はこの部分において所定の曲げＲで湾曲する。蛇腹グロメット１は、蛇腹筒体２が障害物１１に接触することなく取り付けられる（ドア操作をしても障害物１１に接触することはない）。
【００２０】
尚、突起５の形状は図２に示すような形状に変更してもよいものとする（一例であるものとする）。図２（ａ）の突起５′は当接部分１６、１６の角度を変更したものであり、図２（ｂ）の突起５″は全体の幅を狭めるよう変更したものである。形状は、曲げＲに応じて設定されるものとする。
【００２１】
以上、図１及び図２を参照しながら説明してきたように、本発明によれば、蛇腹筒体２の曲げ部分を所定の曲げＲにすることができる。
【００２２】
その他、本発明は本発明の主旨を変えない範囲で種々変更実施可能なことは勿論である。すなわち、上記説明では蛇腹グロメットの例を挙げたが、これに限らずコルゲートチューブの蛇腹筒体に適用してもよいものとする。
【図面の簡単な説明】
【００２３】
【図１】本発明の蛇腹筒体構造の一実施の形態を示す図であり、（ａ）はグロメットでの使用説明図、（ｂ）は曲げを行う前の状態を示す要部拡大断面図、（ｃ）は曲げを行った時の状態を示す要部拡大断面図である。
【図２】突起の他の形状例を示す断面図である。
【符号の説明】
【００２４】
１  蛇腹グロメット
２  蛇腹筒体
３、４  パネル嵌合部
５  突起
６  内側曲げ部
７  山部
８  谷部
９  外側曲げ部
１０  曲げ規制範囲
１１  障害物
１２  車両本体パネル
１３  ドアパネル
１４  ワイヤハーネス
１５  頂点
１６  当接部分
１７  保護面
【図１】
2007174854.tif 000003
【図２】
2007174854.tif 000004